(57)【要約】【課題】２つの異なるユニット間の親和性を高め、第１のユニットの操作によって両者を連携して動作させることができるコンテンツ再生装置を提供する。【解決手段】本発明に係るコンテンツ再生装置における第１のユニットは、第１の操作装置が発した第１の操作信号を受信する第１の入力受付手段と、上記第１および第２のユニットのいずれを制御すべきかを判定する第１の判定手段と、上記第１のユニットを制御する第１の制御手段と、第１の制御情報を上記第２のユニットに送信する第１の制御情報送信手段とを備えており、上記第２のユニットは、上記第１の制御情報を受信する第１の制御情報受信手段と、上記第１の制御情報に基づき、上記第２のユニットを制御する第２の制御手段とを備えている。【選択図】図１
2010258907.tif 000002
【特許請求の範囲】
【請求項１】
第１の操作装置によって操作され、少なくとも第１の映像を表示する第１のユニットと、当該第１のユニットに少なくとも第２の映像を提供する第２のユニットとを備えたコンテンツ再生装置であって、
上記第１のユニットは、
上記第１の操作装置が発した第１の操作信号を受信する第１の入力受付手段と、
上記第１の操作信号、および上記第１のユニットにおいてあらかじめ定められている情報に基づき、上記第１および第２のユニットのいずれを制御すべきかを判定する第１の判定手段と、
上記第１の判定手段によって上記第１のユニットを制御すべきと判定された場合、上記第１のユニットを制御する第１の制御手段と、
上記第１の判定手段によって上記第２のユニットを制御すべきと判定された場合、上記第２のユニットを制御するための第１の制御情報を上記第２のユニットに送信する第１の制御情報送信手段とを備えており、
上記第２のユニットは、
上記第１のユニットから送信された上記第１の制御情報を受信する第１の制御情報受信手段と、
上記受信された第１の制御情報に基づき、上記第２のユニットを制御する第２の制御手段とを備えていることを特徴とするコンテンツ再生装置。
【請求項２】
上記第２のユニットは、
第２の操作装置が発した第２の操作信号を受信する第２の入力受付手段と、
上記第２の操作信号、および上記第２のユニットにおいてあらかじめ定められている情報に基づき、上記第１および第２のユニットのいずれを制御すべきかを判定する第２の判定手段と、
上記第２の判定手段によって上記第１のユニットを制御すべきと判定された場合、上記第１のユニットを制御するための第２の制御情報を上記第１のユニットに送信する第２の制御情報送信手段とを備えており、
上記第２の制御手段は、上記第２の判定手段によって上記第２のユニットを制御すべきと判定された場合、上記第２のユニットを制御し、
上記第１のユニットは、
上記第２のユニットから送信された上記第２の制御情報を受信する第２の制御情報受信手段をさらに備えており、
上記第１の制御手段は、上記受信された第２の制御情報に基づき、上記第１のユニットを制御することを特徴とする請求項１に記載のコンテンツ再生装置。
【請求項３】
上記第１のユニットは、
放送波、通信ネットワーク、外部記憶装置、内部記憶装置、および記録メディアの少なくともいずれかを通じて、上記第１の映像を取得する第１の映像取得手段をさらに備えていることを特徴とする請求項１または２に記載のコンテンツ再生装置。
【請求項４】
上記第１のユニットは、
上記放送波を受信する放送波受信手段を備えており、
上記第１の映像取得手段は、上記受信された放送波をデコードして上記第１の映像を取得することを特徴とする請求項３に記載のコンテンツ再生装置。
【請求項５】
上記第１の制御手段は、上記第２の制御情報に基づき、上記第１の映像の取得の予約を制御することを特徴とする請求項２から４のいずれか１項に記載のコンテンツ再生装置。
【請求項６】
上記第１のユニットは、
電子番組表を取得する電子番組表取得手段をさらに備えており、
上記第１の制御手段は、上記第２の制御情報に基づき、上記電子番組表における情報選択を制御することを特徴とする請求項２から５のいずれか１項に記載のコンテンツ再生装置。
【請求項７】
上記第２のユニットは、
ソフトウェアアプリケーションを実行する実行手段を備えており、
上記第２の制御手段は、上記ソフトウェアアプリケーションの起動または終了を制御することを特徴とする請求項１から６のいずれか１項に記載のコンテンツ再生装置。
【請求項８】
上記第２のユニットは、
上記ソフトウェアアプリケーションの実行時に生成される映像を、上記第２の映像として取得する第２の映像取得手段と、
上記第２の映像取得手段によって取得された第２の映像を上記第１のユニットに送信する映像送信手段とを備えていることを特徴とする請求項７に記載のコンテンツ再生装置。
【請求項９】
上記第２の制御手段は、上記第１の制御情報に基づき、上記第２の映像上のポインティングデバイスの挙動を制御することを特徴とする請求項８に記載のコンテンツ再生装置。
【請求項１０】
上記第１の操作装置は、リモートコントローラであることを特徴とする請求項１から９のいずれか１項に記載のコンテンツ再生装置。
【請求項１１】
上記第２の操作装置は、マウスまたはキーボードであることを特徴とする請求項２から１０のいずれか１項に記載のコンテンツ再生装置。
【請求項１２】
上記第１のユニットは、
上記第１の映像、および上記第２のユニットから提供された上記第２の映像のうち少なくともいずれかを画面に表示する表示手段をさらに備えていることを特徴とする請求項１から１１のいずれか１項に記載のコンテンツ再生装置。
【請求項１３】
上記第１のユニットは、
上記第１および第２の映像を合成して合成映像を生成する合成手段をさらに備えており、
上記表示手段は、上記合成映像を上記画面に表示することを特徴とする請求項１２に記載のコンテンツ再生装置。
【請求項１４】
上記第２のユニットは、上記第１のユニットから着脱可能であることを特徴とする請求項１から１３のいずれか１項に記載のコンテンツ再生装置。
【請求項１５】
上記第２のユニットは、上記第１のユニットの筐体本体に内蔵されていることを特徴とする請求項１から１３のいずれか１項に記載のコンテンツ再生装置。
【請求項１６】
請求項１から１５のいずれか１項に記載のコンテンツ再生装置を動作させるプログラムであって、コンピュータを上記の各手段として機能させるためのプログラム。
【請求項１７】
請求項１６に記載のプログラムを記録しているコンピュータ読み取り可能な記録媒体。
【発明の詳細な説明】
【技術分野】
【０００１】
本発明は、複数のユニットによって構成されるコンテンツ再生装置、プログラム、および記録媒体に関する。
【背景技術】
【０００２】
近年、放送番組を視聴しながら、同一画面上で別の映像を見たいという要望が、視聴者の間に高まっている。これを背景に、子画面を用いて放送番組以外の他の映像を表示する技術が色々と提案されている。
【０００３】
特許文献１には、テレビ受像部の画像が表示部に表示されるとともに、ユーザーインタフェース処理部のユーザーインタフェース画像が表示部に表示される次世代テレビジョン受像機が開示されている。また、当該次世代テレビジョン受像機のユーザーインタフェース処理部は、パソコンと同等の画像処理を実行するとともに、テレビ受像部からの情報を受けて所定の処理を実行する。
【０００４】
特許文献２には、共通のＴＶ／ＰＣ共用リモコン装置によってテレビモニタ機及び専用ＰＣコントローラを制御できる技術が開示されている。
【０００５】
特許文献３には、テレビ画面とインターネットに接続して得られたブラウザ画面を同時にディスプレイに表示する映像表示装置が開示されている。
【０００６】
特許文献４には、デジタル放送を高解像度で短時間に視聴するとともに、ユーザのＴＶ／ＰＣ機能をシームレスに選択できるテレビ機能付きパーソナルコンピュータが開示されている。
【０００７】
特許文献５には、ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置が開示されている。
【先行技術文献】
【特許文献】
【０００８】
【特許文献１】国際公開ＷＯ２００７／００４３７１（公開日：２００７年１月１１日）
【特許文献２】特開２００７−２０８５４７（公開日：２００７年８月１６日）
【特許文献３】特開２００８−７９０７７（公開日：２００８年４月３日）
【特許文献４】特開２００６−３１０８９６（公開日：２００６年１１月９日）
【特許文献５】特開２００７−３１１９５８（公開日：２００７年１１月２９日）
【発明の概要】
【発明が解決しようとする課題】
【０００９】
しかし、上述した従来技術には次のような問題がある。
【００１０】
特許文献１の技術では、表示部に、テレビ受像部の画像とともにユーザーインタフェース処理部のユーザーインタフェース画像が表示される。しかしながら、１つの操作装置を用いて、２つのユニットを連携して動作させることはできない。
【００１１】
特許文献２の技術では、ＴＶ／ＰＣ共用リモコン装置によってテレビモニタ機の操作制御と、専用ＰＣコントローラにより提供されるインターネット閲覧機能に関する操作制御ができる。しかしながら、操作性が向上するようにＴＶとＰＣとを連携して動作させることはできない。
【００１２】
特許文献３の技術では、ブラウザ機能をテレビ装置の中で実現している。この構成では、テレビ装置のソフトウェアおよびハードウェアは、コンピュータのそれらに比べて貧弱であるため、限られたサービスしか処理できない。特に、インターネットを通じて提供されるサービスは日々進化しているため、特許文献３の技術では、オンラインゲームおよび動画再生サービスなど処理に多大な負荷を要する数多くのサービスには対応できない。その結果、ユーザに対して極僅かなサービスを提供できるに留まる。特許文献４の技術にも同様の問題がある。
【００１３】
特許文献５の技術では、テレビと外部ＰＣとを接続することによって、テレビ画面とＰＣ画面とを混在させて表示する。この技術では、別体の２つの装置を互いに接続するため、配線等が複雑になる。結果、装置の設置および持ち運びが面倒なものとなる。また、テレビ放送の処理とコンピュータの処理とが互いに無関係に動作しているため、それぞれを別々の操作装置で操作せざるを得ない。また、両者の連携を実現することは困難である。
【００１４】
本発明は、上記の問題点に鑑みてなされたものであり、その目的は、２つの異なるユニット間の親和性を高め、第１のユニットの操作によって両者を連携して動作させることができ、また両ユニットを相互に制御することにより、第１のユニットの操作によって、第１のユニットおよび第２のユニットのいずれも操作できるコンテンツ再生装置、プログラム、および記録媒体を提供することにある。
【課題を解決するための手段】
【００１５】
（第１の操作装置による操作）
本発明に係るコンテンツ再生装置は、上記の課題を解決するために、
第１の操作装置によって操作され、少なくとも第１の映像を表示する第１のユニットと、当該第１のユニットに少なくとも第２の映像を提供する第２のユニットとを備えたコンテンツ再生装置であって、
上記第１のユニットは、
上記第１の操作装置が発した第１の操作信号を受信する第１の入力受付手段と、
上記第１の操作信号、および上記第１のユニットにおいてあらかじめ定められている情報に基づき、上記第１および第２のユニットのいずれを制御すべきかを判定する第１の判定手段と、
上記第１の判定手段によって上記第１のユニットを制御すべきと判定された場合、上記第１のユニットを制御する第１の制御手段と、
上記第１の判定手段によって上記第２のユニットを制御すべきと判定された場合、上記第２のユニットを制御するための第１の制御情報を上記第２のユニットに送信する第１の制御情報送信手段とを備えており、
上記第２のユニットは、
上記第１のユニットから送信された上記第１の制御情報を受信する第１の制御情報受信手段と、
上記受信された第１の制御情報に基づき、上記第２のユニットを制御する第２の制御手段とを備えていることを特徴としている。
【００１６】
上記の構成によれば、コンテンツ再生装置において、上記第１の判定手段は、上記第１の操作装置が発した第１の操作信号が、上記第１および第２のユニットのいずれを制御すべき操作信号かを判定する。次に、上記第１の制御手段は、上記第１の判定手段によって上記第１のユニットを制御すべきと判定された場合に、上記第１のユニットを制御する。
【００１７】
また、上記第１の判定手段によって上記第２のユニットを制御すべきと判定された場合に、上記第１の制御情報送信手段が、上記第２のユニットを制御するための第１の制御情報を上記第２のユニットに送信する。次に、上記第２のユニットの第１の制御情報受信手段が上記第１の制御情報を受信する。次に、上記第２の制御手段が上記第１の制御情報に基づき、上記第２のユニットを制御する。したがって、ユーザは上記第１のユニットを操作する第１の操作装置を操作することによって、上記第１のユニットおよび上記第２のユニットを連携して動作させることができる。また、上記第１のユニットおよび上記第２のユニットを相互に制御することにより、第１のユニットの操作によって、第１のユニットおよび第２のユニットのいずれも操作できる効果を奏する。
【００１８】
（第２の操作装置による操作）
本発明に係るコンテンツ再生装置では、さらに、
上記第２のユニットは、
第２の操作装置が発した第２の操作信号を受信する第２の入力受付手段と、
上記第２の操作信号、および上記第２のユニットにおいてあらかじめ定められている情報に基づき、上記第１および第２のユニットのいずれを制御すべきかを判定する第２の判定手段と、
上記第２の判定手段によって上記第１のユニットを制御すべきと判定された場合、上記第１のユニットを制御するための第２の制御情報を上記第１のユニットに送信する第２の制御情報送信手段とを備えており、
上記第２の制御手段は、上記第２の判定手段によって上記第２のユニットを制御すべきと判定された場合、上記第２のユニットを制御し、
上記第１のユニットは、
上記第２のユニットから送信された上記第２の制御情報を受信する第２の制御情報受信手段をさらに備えており、
上記第１の制御手段は、上記受信された第２の制御情報に基づき、上記第１のユニットを制御することことが好ましい。
【００１９】
上記の構成によれば、コンテンツ再生装置において、上記第２のユニットの第２の判定手段は、上記第２の操作装置が発した第２の操作信号が、上記第１および第２のユニットのいずれを制御すべき操作信号かを判定する。次に、上記第２の制御手段は、上記第２の判定手段によって上記第２のユニットを制御すべきと判定された場合に、上記第２のユニットを制御する。また、上記第２の判定手段によって上記第１のユニットを制御すべきと判定された場合に、上記第２の制御情報送信手段が、上記第１のユニットを制御するための第２の制御情報を上記第１のユニットに送信する。次に、上記第１のユニットの上記第２の制御情報受信手段が上記第２の制御情報を受信する。次に、上記第１の制御手段が上記第２の制御情報に基づき、上記第１のユニットを制御する。したがって、ユーザは上記第２のユニットを操作する第１の操作装置を操作することによって、上記第１のユニットおよび上記第２のユニットを連携して動作させることができるさらなる効果を奏する。
【００２０】
（第１の映像取得源）
本発明に係るコンテンツ再生装置では、さらに、
上記第１のユニットは、
放送波、通信ネットワーク、外部記憶装置、内部記憶装置、および記録メディアの少なくともいずれかを通じて、上記第１の映像を取得する第１の映像取得手段をさらに備えていることが好ましい。
【００２１】
上記の構成によれば、コンテンツ再生装置は第１の映像として多種多様なコンテンツを取得できる。
【００２２】
（第１のユニット＝ＴＶ）
本発明に係るコンテンツ再生装置では、さらに、
上記第１のユニットは、
上記放送波を受信する放送波受信手段を備えており、
上記第１の映像取得手段は、上記受信された放送波をデコードして上記第１の映像を取得することが好ましい。
【００２３】
上記の構成によれば、第１のユニットは放送番組を再生できる。結果、コンテンツ再生装置をテレビジョン装置の一種として実現できる。
【００２４】
（第２の制御情報に基づく第１の映像の取得）
本発明に係るコンテンツ再生装置では、さらに、
上記第１の制御手段は、上記第２の制御情報に基づき、上記第１の映像の取得の予約を制御することが好ましい。
【００２５】
上記の構成によれば、上記第１の制御手段は、上記第２の制御情報に基づき、上記第１の映像の取得の予約を制御できる。上記第２の制御情報は、上記第２の操作装置が発した第２の操作信号に基づくものである。したがって、ユーザは上記第２の操作装置を操作することによって、上記第１の映像の取得の予約を制御することができる。
【００２６】
（第２の制御情報に基づく電子番組表制御）
本発明に係るコンテンツ再生装置では、さらに、
上記第１のユニットは、
電子番組表を取得する電子番組表取得手段をさらに備えており、
上記第１の制御手段は、上記第２の制御情報に基づき、上記電子番組表における情報選択を制御することが好ましい。
【００２７】
上記の構成によれば、上記第１の制御手段は、上記第２の制御情報に基づき、上記電子番組表における情報選択を制御する。上記第２の制御情報は、上記第２の操作装置が発した第２の操作信号に基づくものである。したがって、ユーザは上記第２の操作装置を操作することによって、上記電子番組表における情報選択を制御することができる。
【００２８】
（ソフトウェアアプリケーションの実行）
本発明に係るコンテンツ再生装置では、さらに、
上記第２のユニットは、
ソフトウェアアプリケーションを実行する実行手段を備えており、
上記第２の制御手段は、上記ソフトウェアアプリケーションの起動または終了を制御することが好ましい。
【００２９】
上記の構成によれば、上記第２のユニットの実行手段は、上記ソフトウェアアプリケーションを実行する。また、上記第２の制御手段は、上記ソフトウェアアプリケーションの起動または終了を制御する。したがって、ユーザは上記第１の操作装置を操作することによって、上記ソフトウェアアプリケーションの起動または終了を制御することができる。
【００３０】
（映像の送信）
本発明に係るコンテンツ再生装置では、さらに、
上記第２のユニットは、
上記ソフトウェアアプリケーションの実行時に生成される映像を、上記第２の映像として取得する第２の映像取得手段と、
上記第２の映像取得手段によって取得された第２の映像を上記第１のユニットに送信する映像送信手段とを備えていることが好ましい。
【００３１】
上記の構成によれば、上記第２のユニットは、上記第２の映像取得手段によって取得された第２の映像を上記第１のユニットに送信する映像送信手段を備えている。したがって、上記第２のユニットは、上記第２の映像を上記第１のユニットに送信することができる。
【００３２】
（ポインティングデバイスの操作）
本発明に係るコンテンツ再生装置では、さらに、
上記第２の制御手段は、上記第１の制御情報に基づき、上記第２の映像上のポインティングデバイスの挙動を制御することが好ましい。
【００３３】
上記の構成によれば、上記第２の制御手段は、上記第１の制御情報に基づき、上記第２の映像上のポインティングデバイスの挙動を制御する。上記第１の制御情報は、上記第１の操作装置が発した第１の操作信号に基づくものである。したがって、ユーザは上記第１の操作装置を操作することによって、上記第２の映像上のポインティングデバイスの挙動を制御できる。
【００３４】
（第１の操作装置はリモートコントローラ）
本発明に係るコンテンツ再生装置では、さらに、
上記第１の操作装置は、リモートコントローラであることが好ましい。
【００３５】
上記の構成によれば、上記第１の操作装置は、リモートコントローラである。リモートコントローラは、一般的に広く普及している。したがって、多くのユーザにとっての操作性を向上させることができる。
【００３６】
（第２の操作装置はマウスまたはキーボード）
本発明に係るコンテンツ再生装置では、さらに、
上記第２の操作装置は、マウスまたはキーボードであることが好ましい。
【００３７】
上記の構成によれば、上記第２の操作装置は、マウスまたはキーボードである。マウスまたはキーボードは、一般的に広く普及している。したがって、多くのユーザにとっての操作性を向上させることができる。
【００３８】
（映像の表示）
本発明に係るコンテンツ再生装置では、さらに、
上記第１のユニットは、
上記第１の映像、および上記第２のユニットから提供された上記第２の映像のうち少なくともいずれかを画面に表示する表示手段をさらに備えていることが好ましい。
【００３９】
上記の構成によれば、上記表示手段は、上記第１の映像、および上記第２のユニットから提供された上記第２の映像のうち少なくともいずれかを画面に表示することができる。
【００４０】
（合成映像の表示）
本発明に係るコンテンツ再生装置では、さらに、
上記第１のユニットは、
上記第１および第２の映像を合成して合成映像を生成する合成手段をさらに備えており、
上記表示手段は、上記合成映像を上記画面に表示することが好ましい。
【００４１】
上記の構成によれば、上記合成手段は、上記第１および第２の映像を合成して合成映像を生成する。また、上記表示手段は、上記合成映像を上記画面に表示する。したがって、上記第１および第２の映像を合成した合成映像を上記画面に表示することができる。
【００４２】
（第２のユニットは着脱可能）
本発明に係るコンテンツ再生装置では、さらに、
上記第２のユニットは、上記第１のユニットから着脱可能であることが好ましい。
【００４３】
上記の構成によれば、コンテンツ再生装置の拡張性および保守性をより高めることができる。
【００４４】
（第２のユニットは内蔵）
本発明に係るコンテンツ再生装置では、さらに、
上記第２のユニットは、上記第１のユニットの筐体本体に内蔵されていることが好ましい。
【００４５】
上記の構成によれば、第２のユニットを外部環境から守ることができる。
【００４６】
（プログラム、記録媒体）
なお、上記コンテンツ再生装置は、コンピュータによって実現してもよい。この場合、コンピュータを上記各手段として動作させることにより上記コンテンツ再生装置をコンピュータにおいて実現するプログラム、およびそのプログラムを記録したコンピュータ読み取り可能な記録媒体も、本発明の範疇に入る。
【発明の効果】
【００４７】
以上のように、本発明に係るコンテンツ再生装置は、２つの異なるユニット間の親和性を高め、第１のユニットの操作によって両者を連携して動作させることができる。また、上記第１のユニットおよび上記第２のユニットを相互に制御することにより、第１のユニットの操作によって、第１のユニットおよび第２のユニットのいずれも操作できる。
【図面の簡単な説明】
【００４８】
【図１】本発明の一実施形態に係るＰＣ内蔵テレビの要部構成を示すブロック図である。
【図２】（ａ）は、本発明の一実施形態に係るＰＣ内蔵テレビを表示画面側から見た場合の外観を示す図であり、（ｂ）は、ＰＣ内蔵テレビを上から見た場合の外観を示す図である。
【図３】本発明の一実施形態に係るＰＣ内蔵テレビの詳細な内部構成を示すブロック図である。
【図４】（ａ）は、リモコンを使用してＰＣ内蔵テレビを操作する際の信号伝達の流れを図であり、（ｂ）は、入力装置（キーボードまたはマウス）を使用してＰＣ内蔵テレビを操作する際の信号伝達の流れを図である。
【図５】本発明の一実施形態に係るリモコンを示す図である。
【図６】本発明の一実施形態に係るリモコンを使用してＰＣ内蔵テレビを操作する処理のフローチャートを示す図である。
【図７】本発明の一実施形態に係るリモコンを使用する際の、ＰＣ内蔵テレビ内の信号の流れを示す図である。
【図８】本発明の一実施形態に係るリモコンを使用してＰＣ内蔵テレビを操作する一例を説明する図である。
【図９】本発明の一実施形態に係るリモコンを使用してＰＣ内蔵テレビを操作する一例を説明する図である。
【図１０】本発明の一実施形態に係る入力装置を示す図であり、（ａ）はマウス（ｂ）はキーボードを示す図である。
【図１１】本発明の一実施形態に係る入力装置を使用してＰＣ内蔵テレビを操作する処理のフローチャートを示す図である。
【図１２】本発明の一実施形態に係る入力装置を使用する際の、ＰＣ内蔵テレビ内の信号の流れを示す図である。
【図１３】本発明の一実施形態に係るマウスを用いて番組予約をする処理の一例について説明する図である。
【図１４】本発明の一実施形態に係るキーボードを用いて番組予約をする処理の一例について説明する図である。
【図１５】本発明の一実施形態に係るリモコンのキーとキーボードとのキーとの対応関係を示す図である。
【図１６】ＰＣ内蔵テレビにおける映像合成の流れの一例を示す図である。
【図１７】ディスプレイに表示される画面の各例を示す図である。
【図１８】ＰＣ内蔵テレビが、ＰＣ機能メニューの選択に応じてＰＣ子画面の表示を切り換える様子の一例を示す図である。
【図１９】ＰＣ内蔵テレビが、ＰＣ機能メニューを示す情報の選択結果に応じて、ＰＣ子画面を表示したりＰＣ子画面の表示位置を変更したりする様子の一例を示す図である。
【図２０】本発明のＰＣ内蔵テレビにおいてＴＶ全画面およびＰＣ子画面を表示する際の情報処理の流れの一例を示すシーケンス図である。
【図２１】図に示すシーケンス処理によってディスプレイに表示される画面の一例を示す図である。
【図２２】（ａ）は、着脱可能なＰＣユニットがＴＶユニットに装着された後のＰＣ内蔵テレビを表示画面側から見た場合の外観を示す図であり、（ｂ）は、着脱可能なＰＣユニットがＴＶユニットに装着される前のＰＣ内蔵テレビを背面側から見た場合の外観を示す図である。
【図２３】本発明の他の実施形態に係るＰＣ内蔵テレビの要部構成を示すブロック図である。
【図２４】着脱可能なＢＤユニットがＴＶユニットに装着された後のＢＤ内蔵テレビｂの外観例を示す図である。
【発明を実施するための形態】
【００４９】
本発明に係るＰＣ内蔵テレビ１の一実施形態について、図１〜図２１を参照して以下に説明する。
【００５０】
（ＴＶユニット１０の外観）
まず、ＰＣ内蔵テレビ１の外観について、図２を参照して以下に説明する。図２（ａ）は、本発明の一実施形態に係るＰＣ内蔵テレビ１を表示画面側から見た場合の外観を示す図である。図２（ｂ）は、ＰＣ内蔵テレビ１を横（ＰＣユニット２０の設置側）から見た場合の外観を示す図である。
【００５１】
図２（ａ）および（ｂ）に示すように、ＰＣ内蔵テレビ１（コンテンツ再生装置）は、ＴＶユニット１０（第１のユニット）にＰＣユニット２０（第２のユニット）が設けられた構成の装置である。本実施形態のＴＶユニット１０は、液晶テレビジョン装置としての構成および機能を備えたサブユニット（サブシステム）である。一方、ＰＣユニット２０はいわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００５２】
ユーザはリモコン９（リモートコントローラ）を使用してＰＣ内蔵テレビ１を操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００５３】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００５４】
図１に示すように、ＰＣ内蔵テレビ１のＴＶユニット１０は、映像出力部１１、音声出力部１２、コンテンツ処理部１３、コンテンツ合成部１４、コンテンツ取得部１５、コンテンツ受信部１６、ユーザ入力部１７、制御情報通信部１８，制御部１９および操作モード管理部２９を備えている。一方、ＰＣユニット２０は、コンテンツ処理部２１、コンテンツ取得部２２、コンテンツ送信部２３、記憶部２４、制御情報通信部２５、ユーザ入力部２６、制御部２７、アプリケーション実行部２８および操作モード管理部３０を備えている。
【００５５】
本実施形態ＰＣ内蔵テレビ１は、映像の合成機能を有している。具体的には、ＴＶユニット１０は、放送波（テレビ放送）を受信してデコードすることによって、放送番組（第１のコンテンツ）を取得する。ＰＣユニット２０は、ウェブページ、動画コンテンツ等などのＰＣコンテンツ（第２のコンテンツ）を取得しＴＶユニット１０に提供する。ＴＶユニット１０は、少なくとも放送番組内の映像（第１の映像）およびＰＣコンテンツ内の映像（第２の映像）を合成して一つの合成映像を生成し、ディスプレイ２に出力する。これによりディスプレイ２は当該合成映像を表示する。ディスプレイ２は、たとえば液晶ディスプレイ、プラズマディスプレイ、有機ＥＬディスプレイとして実現される。
【００５６】
（ＴＶユニット１０の詳細）
ＴＶユニット１０に備えられる各ブロックの機能について、それぞれ以下に説明する。
【００５７】
映像出力部１１は、コンテンツ合成部１４から送られた映像信号をディスプレイ２に出力する。
【００５８】
音声出力部１２は、コンテンツ合成部１４から送られた音声信号をスピーカ３に出力する。
【００５９】
コンテンツ処理部１３は、コンテンツ取得部１５から入力されたコンテンツを処理する。本実施形態では、受信された放送波をデコードして放送番組を生成し、コンテンツ合成部１４に出力する。
【００６０】
コンテンツ合成部１４は、コンテンツ処理部１３から入力された放送番組、およびコンテンツ受信部１６がＰＣユニット２０から受信したＰＣコンテンツを合成して、一つの合成コンテンツを生成する。
【００６１】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００６２】
コンテンツ受信部１６は、ＰＣユニット２０から送信されたＰＣコンテンツを受信し、コンテンツ合成部１４に出力する。
【００６３】
ユーザ入力部１７は、ユーザによるＰＣ内蔵テレビ１に対する入力操作を受け付ける。具体的には、たとえばユーザによる入力操作に応じてリモコン９が発した信号を受信し、制御部１９に出力する。操作モード管理部２９は、制御部１９からの問い合わせに対して、現在の操作モードがＴＶユニット１０を操作するＴＶモードであるか、ＰＣユニット２０を操作するＰＣモードであるかを確認して制御部１９に通知する。他にも、ＴＶユニット１０本体へのユーザの直接操作によって発生せられた信号を受信することもできる。
【００６４】
制御情報通信部１８は、ＰＣユニット２０と制御情報をやり取りする。具体的には、制御情報をＰＣユニット２０の制御情報通信部２５に送信したり、あるいは、制御情報通信部２５から送信された制御情報を受信したりする。ここで制御情報には、たとえば、ＰＣユニット２０ａまたはＴＶユニット１０ａを操作するための操作情報が含まれる。他にも、取得したコンテンツを他方のユニットに提供すべき旨を規定した情報が含まれる。さらに、コンテンツを取得するためのアクセス情報（リンク情報）が含まれる。
【００６５】
制御部１９は、ＴＶユニット１０を構成する各ブロックを統括制御する。
【００６６】
（ＰＣユニット２０の詳細）
ＰＣユニット２０を構成する各ブロックの機能について、以下に説明する。
【００６７】
コンテンツ処理部２１は、コンテンツ取得部２２が取得したＰＣコンテンツを処理する。
【００６８】
コンテンツ取得部２２は、外部からＰＣコンテンツを取得する。たとえば、記録ディスク７またはインターネット（通信ネットワーク）８からＰＣコンテンツを取得する。ＰＣコンテンツは、コンピュータによって処理され再生可能なコンテンツのことである。たとえばテキスト、映像、音声、動画等のコンテンツがこれに該当し、さらにこれらの組み合わせからなるマルチメディアコンテンツも該当する。他にも、ウェブページもＰＣコンテンツに含まれる。これらのＰＣコンテンツは各所から取得できる。取得先はたとえばインターネット８上のウェブサイト、ＰＣ内蔵テレビ１に接続された外部装置、および記録ディスク７である。
【００６９】
コンテンツ送信部２３は、コンテンツ処理部２１が処理したコンテンツをコンテンツ受信部１６へ送信する。
【００７０】
記憶部２４は、各種のＰＣコンテンツを記憶する。たとえば、ハードディスク、フラッシュメモリ等の不揮発性の記憶装置として実現される。記憶部２４には、ＰＣコンテンツに加えて、アプリケーション実行部２８によって実行される各種のソフトウェアアプリケーションが記憶されている。
【００７１】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。
【００７２】
ユーザ入力部２６は、ユーザによるＰＣ内蔵テレビ１に対する入力操作を受け付ける。具体的には、ユーザによる入力操作に応じて操作装置（本実施形態ではマウス５およびキーボード６）が発した信号を受信し、制御部２７に出力する。当該操作装置の他の例として、トラックボールおよびトラックパッドなどのポインティングデバイス、ならびにジョイスティックも含まれる。
【００７３】
制御部２７は、ＰＣユニット２０における各種動作を制御する。操作モード管理部３０は、制御部２７からの問い合わせに対して、現在の操作モードがＰＣモードであるか、ＴＶモードであるかを制御情報通信部２５を介して、ＴＶユニット１０の操作モード管理部２９に確認する。操作モード管理部３０は、確認した操作モードを制御部２７に通知する。
【００７４】
アプリケーション実行部２８は、記憶部２４に記憶されているソフトウェアアプリケーションを読み出し、実行する。
【００７５】
（ＰＣ内蔵テレビ１の詳細な内部構成）
次に、ＰＣ内蔵テレビ１の詳細な内部構成について、図３を参照して説明する。図３は、本発明の一実施形態に係るＰＣ内蔵テレビ１の詳細な内部構成を示すブロック図である。図１に示す各機能ブロックは、図３に示す各ブロックのいずれかまたはその組み合わせによって、実現される。
【００７６】
ＲＦ（Ｒａｄｉｏ  Ｆｒｅｑｕｅｎｃｙ）受信部１０１は、外部から送られてくる信号を受信する。すなわち、ＲＦ受信部１０１は、たとえば、地上波デジタル放送として無線で送られてくる映像信号等のデジタル放送信号を受け付ける映像信号入力部である。なお、ＲＦ部１０１が受信する信号は、地上波デジタル放送として送られてくる信号に限定されるものではなく、たとえば、一般のアナログ放送、衛星放送、またはケーブルテレビ放送等として送られてくる信号であってもよい。
【００７７】
これらの信号としては、たとえば、デジタル放送の場合はＭＰＧ２またはＭＰＥＧ４等のシステムとしてデジタル化された映像信号が挙げられる。また、ＲＦ受信部１０１に入力される信号は、当該映像信号に限定されるものではなく、たとえば、デジタル化されたオーディオ信号、データ放送、電子番組表情報またはネットワーク情報などのデジタル放送信号（放送波）であってもよい。
【００７８】
デモジュレータ１０２は、ＲＦ受信部１０１に入力されたデジタル放送信号を復調し、デコーダ１０３に送る。
【００７９】
デコーダ１０３は、たとえばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【００８０】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行う。しかしながら、これに限定されるものではなく、デコーダ１０３またはＣＰＵ１０９において、オーディオ信号をデコードしてもよい。処理されたオーディオ信号は、スピーカ１０５に送られる。
【００８１】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、たとえば、ＢＤ（ＢｌｕＲａｙ）レコーダまたはＳＴＢ（Ｓｅｔ  Ｔｏｐ  Ｂｏｘ）などの場合、スピーカ１０５の代わりに、外部機器にオーディオ信号を出力してもよい。
【００８２】
リモコン通信部１０６は、図示しないリモコンからの制御信号を受信する。制御信号を送信するリモコン７としては、たとえば、１方向に信号を送信する赤外線リモコン、または双方向に信号を送信する無線リモコンが挙げられる。リモコン通信部１０６が受信した制御信号は、ＣＰＵ１０９に送られる。
【００８３】
外部入力部１０７は、ＰＣユニット２０の映像出力部２０８から出力された信号を受信する。外部入力部１０７としては、たとえば、ＨＤＭＩインターフェースまたはＤＶＩ・Ｄ端子などが挙げられる。また、外部入力部１０７が受信する信号は、デコードされたデータまたは圧縮形式のデータ（たとえば、ＭＰＥＧ４等）を含む。
【００８４】
外部入力部１０７が受信したオーディオ信号は、オーディオプロセッサ１０４に出力される。一方、外部入力部１０７が受信した映像信号は、グラフィックメモリ１１０に出力され、展開される。また、たとえば、外部入力部１０７が受信した映像信号が圧縮画像であって場合、受信した映像信号は、一旦デコード１０３を経由してグラフィクメモリ１１０に送られる。なお、デコード１０３を経由するか否かによって、グラフィックメモリ１１０に出力される映像信号に本質的な差異はない。
【００８５】
メモリ１０８は、プログラムまたはデータを格納するメモリである。
【００８６】
ＣＰＵ１０９は、ＴＶユニット１０全体の制御を行うＣＰＵである。
【００８７】
グラフィックメモリ１１０は、２つ以上の映像および表示データを保持する。表示データとしては、たとえば、データ放送、およびＯＳＤ（オンスクリーンディスプレイ）データ、設定メニュー等のデータが挙げられる。グラフィックメモリ１１０は、複数のプレーンからなり、それぞれのプレーンを重ね合わせたり、アルファブレンディングを行ったりすることが可能である。
【００８８】
グラフィックコントローラ１１１は、グラフィックメモリ１１０に保持される映像および表示データを合成し、１画面を作成する。すなわち、グラフィックコントローラ１１１は、ＣＰＵ１０９からの制御に応じて、たとえば、複数のプレーンの拡大縮小または位置設定などを行い、合成して最終画面を作り出す。この最終画面は、表示部１１２へ送られる。
【００８９】
表示部１１２は、グラフィックコントローラ１１１から受け取った映像を表示する。たとえば液晶パネルなどの表示デバイスに映像を表示してもよいし、外部機器に映像データを出力してもよい。
【００９０】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネットを通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【００９１】
Ｉ／Ｆ部１１４は、ＬＡＮ、ＵＳＢまたはシリアル等を制御するインターフェース部である。Ｉ／Ｆ部１１４では、静止画等を含む制御情報をＰＣユニット２０とやり取りする。なお、Ｉ／Ｆ部１１４における制御情報の送受信方式は、特に限定されない。
【００９２】
電源部１１５は、ＴＶユニット１０における電源回路である。また、電源部２０４は、ＰＣユニット２０における電源回路である。これらの電源部１１５，２０４は、共通の電源１５０から電力の供給を受ける。この際、１つのＡＣプラグによって電力の供給を受けることが望ましい。
【００９３】
入力部２０１は、外部からの入力を受け付ける。このように、ＰＣユニット２０は、独自の入力部が存在し得る。入力部２０１としては、たとえば、Ｂｌｕｅｔｏｏｔｈのワイヤレスキーボードまたはワイヤレスマウス等を利用できることが好ましい。
【００９４】
ＩＯプロセッサ２０２は、各種外部インターフェースを制御する。
【００９５】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３，２０３を備えている場合、ＰＣ内蔵のテレビ１の内部においてブリッジ機能を有することが好ましい。これにより、たとえば、有線ＬＡＮを接続する場合に、１つのＬＡＮケーブルを挿すだけで、ＴＶユニット１０およびＰＣユニット２０を同時にネットワークに接続させることができる。
【００９６】
メモリ２０５は、各種制御を行うＣＰＵ２０６のメモリである。
【００９７】
ＣＰＵ２０６は、ＰＣユニット２０に含まれる各ブロックを統括的に制御する。たとえば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、たとえば、ＰＣユニット２０がデコーダ１０３のようなハードウェアを備えていてもよい。
【００９８】
グラフィックコントローラ２０７は、映像描画時のグラフィック処理を高速化する。
【００９９】
映像出力部２０８は、グラフィックコントローラ２０７によって処理された映像信号を、たとえばＨＤＭＩ等の形式によって出力する。なお、オーディオ信号も映像信号と同様に、ＴＶユニット１０に送信される。
【０１００】
記憶部２０９は、インターネット８または記録ディスク７を通じて取得されたＰＣコンテンツを恒久的に記憶する。記憶部２０９としては、たとえば、ハードディスク、ＢＤ（Ｂｌｕ-ｒａｙ  Ｄｉｓｋ）、ＤＶＤ（Ｄｉｇｉｔａｌ  Ｖｉｄｅｏ  Ｄｉｓｋ）またはＵＳＢ（Ｕｎｉｖｅｒｓａｌ  Ｓｅｒｉａｌ  Ｂｕｓ）メモリ等が挙げられる。ＣＰＵ２０６は、ネットワークを経由して取得した映像、または記憶部２０９に記憶されている映像を再生し、ＴＶユニット１０に送信する。
【０１０１】
ここで、映像とは、動画に限定されるものではなく、音楽、書籍、写真、スライドショー、ワープロドキュメント、またはゲーム等のアプリケーションが作成する画面が挙げられる。
【０１０２】
（ＰＣ内蔵テレビ１の操作方法）
図４（ａ）は、リモコン９を使用してＰＣ内蔵テレビ１を操作する際の信号伝達の流れを説明する図である。図４（ｂ）は、入力装置（キーボード６またはマウス５）を使用してＰＣ内蔵テレビ１を操作する際の信号伝達の流れを説明する図である。
【０１０３】
図５は、ＰＣ内蔵テレビ１を操作するリモコン９である。リモコン９が備えているキーについては参照する図面を換えて後述するが、リモコン9は、図５に示すように数字キー（１〜１２）、音量キーおよび選局キーなどを備える一般的なリモコン９である。
【０１０４】
ユーザは、リモコン９を使用してＴＶユニット１０およびＰＣユニット２０の両方を操作できる。この処理の流れを図６のフローチャートを参照して説明する。図６に示すように、まず、ユーザはリモコン９を操作して信号（操作信号）を送信する（ステップＳ２１）。ユーザの入力に応じてリモコン９が発信する信号は、ユーザ入力部１７を経由して制御部１９に入力される（ステップＳ２２）。制御部１９は、現在の操作モードがＰＣモードであるか、ＴＶモードであるかを操作モード管理部２９に問い合わせる。操作モード管理部２９は、制御部１９からの問い合わせに対して、現在の操作モードがＴＶユニット１０を操作するＴＶモードであるか、ＰＣユニット２０を操作するＰＣモードであるかを確認する（ステップＳ２３）。次に、制御部１９は、操作モード管理部２９から送信されたモードの情報に従って、入力された操作信号がＴＶユニット１０を操作する操作信号か、ＰＣユニット２０を操作する操作信号であるかを判定する（ステップＳ２４）。ＴＶユニット１０を操作する操作信号判定した場合には、操作信号の内容に応じて、ＴＶユニット１０内の各ブロックを制御する（ステップＳ２５）。これらの処理の結果、ユーザはリモコン９を使用してＴＶユニット１０を操作できる。
【０１０５】
一方、制御部１９は、操作信号がＰＣユニット２０を操作するための信号だと判定した場合には、ＰＣユニット２０を制御するための制御情報を生成する（ステップＳ２６）。次に、この制御情報を制御情報通信部１８を通じてＰＣユニット２０に送信する（ステップＳ２７）。当該制御情報は制御情報通信部２５を経由してＰＣユニット２０の制御部２７に入力される（ステップＳ２８）。ＰＣユニット２０は、入力された制御情報に基づき、ＰＣユニット２０内の各ブロックを制御する（ステップＳ２９）。これらの処理の結果、ユーザは、リモコン９を使用してＰＣユニット２０を操作できる。
【０１０６】
次に、リモコン９を使用した場合における、ＴＶユニット１０およびＰＣユニット２０内の信号の流れについて図７を参照して説明する。リモコン９から送信された信号は、コマンド情報として送信される。当該コマンド情報は、ＰＣユニット２０内において、パラメータ情報として入力される。一例として、リモコン９から送信されたコマンド情報ＲＣ
ＮＵＭに対応するパラメータ情報「１」としてＰＣユニット２０に認識される。同様にリモコン９から送信されたコマンド情報ＲＣＮＵＭ各々に対応するパラメータ情報各々がＰＣユニット２０に認識される。
【０１０７】
次に、リモコン９を使用したＰＣユニット２０のポインティングデバイスの操作について説明する。ユーザは、リモコン９の上下左右カーソルキー各々を押すことにより、ＰＣユニット２０のポインティングデバイスを操作し、ＰＣユニット２０の表示画面におけるマウスポインタを上下左右各々に移動させる。一例として、リモコン９の「上」カーソルキーを押すことにより、表示画面におけるマウスポインタを画面上の上方に移動する。また、リモコン９の「決定」キーを押すことにより、マウスの左クリックに該当する処理を行なう。同様に、リモコン９の「番組情報」キーを押すことにより、マウスの右クリックに該当する処理を行なう。以上のように、リモコン９を用いて、マウスの基本操作と同様の処理を行なう。
【０１０８】
具体的には、ドラッグ操作をするには、まずリモコン９の「決定」キーを長押しして一旦離す。これにより、マウスの左クリックを押したままと同様のドラッグ状態となる。この状態において、リモコン９の上下左右カーソルキー各々を押すことにより、ドラッグした対象を移動する。次に、再度「決定」キーを押すことにより、ドラッグした対象をリリースする。なお、「決定」キーを長押しではなく、一回押した場合にドラッグ状態となるようにしてもよい。また、リモコン９の「決定」キーを長押しすることによりドラッグ状態となるようにし、上下左右カーソルキーによりドラッグ対象を移動後「決定」キーを離すことによりリリースするようにしてもよい。以上のように、リモコン９によりＰＣユニット２０の表示画面においてドラッグ操作を行なう。なお、リモコン９を使用してＰＣユニット２０のポインティングデバイスを操作する際のＴＶユニット１０およびＰＣユニット２０内の信号の処理の流れは図６を参照して説明したとおりである。
【０１０９】
また、ＰＣユニット２０の表示画面においてマウスポインタを連続的に移動させるのではなく、ツールバーまたはツールアイコン上を順次移動するようにしてもよい。これを図８を参照して説明する。図８に示すマウスポインタＡは、リモコン９の右カーソルキーを一回押すことのみにより、矢印Ｂに示すように、マウスポインタＣに移動する。これにより、リモコン９のカーソルキーを不必要に多い回数押す必要がなく、操作性が向上する。
【０１１０】
また、リモコン９を操作することにより、アプリケーションソフトウェア（ツール）の起動を行なえるようにしてもよい。これを図９を参照して説明する。図９に示すように、まずリモコン９の「メニュー」キーを押すことにより、複数のツールを表示させる。次に、リモコン９の上下左右カーソルキーを押すことにより、マウスポインタを起動したいツール上に持ってくる。図９に示す例においては、マウスポインタは「テキストエディタ」上にある。これを「電子メール」上に移動させたい場合には、リモコン９の「上」カーソルキーを押すことにより、矢印Ｄに示すようにマウスポインタを「電子メール」上に移動させる。同様に、矢印Ｅに示すように「音楽プレーや」上に移動させたい場合にはリモコン９の「下」カーソルキーを押す。同様に、矢印Ｆに示すように「テキストエディタ３」上に移動させたい場合にはリモコン９の「右」カーソルキーを押す。次に、「決定」キーを押すことによって、当該ツールを起動する。
【０１１１】
また、リモコン９の「入力切換」キーを押すことにより、各種ツールを起動するためのランチャーを表示するようにしてもよい。ランチャー上において、図８を参照して説明したのと同様にリモコン９の上下左右カーソルキーを押すことによりツールを選択する。例えば、画面上の上のツールを選択したい場合には「上」カーソルキーを押す。同様に、画面上の下のツールを選択したい場合には「下」カーソルキーを押す。このようにして、マウスポインタを起動させたいツール上に移動させた後に「決定」キーを押すことによって当該ツールを起動する。
【０１１２】
また、リモコン９を操作することにより、アプリケーションソフトウェア（ツール）の終了を行なえるようにしてもよい。具体的には、リモコン９の「終了」キーを押すことにより、アクティブになっているツールを終了させる。なお、他のツールを起動させたい場合には、上述したように、リモコン９を用いて他のツールを選択し起動すればよい。
【０１１３】
また、上述したように、ユーザは、マウス５またはキーボード６（以下、操作装置と総称）を使用して、ＰＣユニット２０およびＴＶユニット１０の両方を操作できる。マウス５およびキーボード６を図１０を参照して説明する。図１０（ａ）に示すように、マウス５は左ボタン３１、右ボタン３２、およびマウスホイール３３を備えている一般的なマウス５である。また、図１０（ｂ）に示すように、キーボード６は、数字キー０〜９、およびアルファベットキーを備えている一般的なキーボード６である。
【０１１４】
次に、操作装置を用いた処理の流れを図１１のフローチャートを参照して説明する。図１１に示すように、まず、ユーザは、マウス５またはキーボード６を操作して信号（操作信号）を送信する（ステップＳ３１）。ユーザの入力に応じて操作装置が発信する信号は、ユーザ入力部２６を経由して制御部２７に入力される（ステップＳ３２）。制御部２７は、現在の操作モードがＰＣユニット２０を操作するＰＣモードであるか、ＴＶユニット１０を操作するＴＶモードであるかを操作モード管理部３０に問い合わせる。操作モード管理部３０は、制御部２７からの問い合わせを受けると、現在の操作モードがＰＣユニット２０を操作するＰＣモードであるかＴＶユニット１０を操作するＴＶモードであるかを確認する（ステップＳ３３）。具体的には、制御情報通信部２５を介して、ＴＶユニット１０の操作モード管理部２９に問い合わせて確認する。次に、制御部２７は、操作モード管理部３０から送信された操作モードの情報に従って、入力された操作信号がＰＣユニット２０を操作する操作信号かＴＶユニット１０を操作する操作信号かを判定する（ステップＳ３４）。ＰＣユニット２０を操作する操作信号だと判定した場合には、操作信号の内容に応じて、ＰＣユニット２０内の各ブロックを制御する（ステップＳ３５）。これらの処理の結果、ユーザはマウス５またはキーボード６を使用してＰＣユニット２０を操作できる。
【０１１５】
一方、制御部２７は、操作信号がＴＶユニット１０を操作するための信号だと判定した場合には、ＴＶユニット１０を制御するための制御情報を生成する（ステップＳ３６）。次に、この制御情報を、制御情報通信部２５を通じてＴＶユニット１０に送信する（ステップＳ３７）。当該制御情報は制御情報通信部１８を経由してＴＶユニット１０の制御部１９に入力される（ステップＳ３８）。制御部１９は、入力された制御情報に基づき、ＴＶユニット１０内の各ブロックを制御する（ステップＳ３９）。これらの処理の結果、ユーザは、操作装置（マウス５またはキーボード６）を使用してＴＶユニット１０を操作できる。
【０１１６】
次に、マウス５またはキーボード６を使用した場合における、ＰＣユニット２０およびＴＶユニット１０内の信号の流れについて図１２を参照して説明する。図１２（ａ）は、キーボード６を操作した場合におけるＰＣユニット２０およびＴＶユニット１０内の信号の流れを示す図である。図１２（ｂ）は、マウス５を操作した場合におけるＰＣユニット２０およびＴＶユニット１０内の信号の流れを示す図である。図１２（ｃ）は、マウス５またはキーボード６を操作した場合におけるＰＣユニット２０およびＴＶユニット１０内の信号の流れを示す図である。
【０１１７】
図１２（ａ）に示すように、キーボード６を操作すると、コントロール情報とキーコード情報とが生成される。コントロール情報は、図１２（ａ）に示すようにＳｈｉｆｔキーが押されている場合に１、離されている場合に０を示す情報である。キーコード情報は、押されたキーボード６のキーに対応している。
【０１１８】
また、図１２（ｂ）に示すように、マウス５を操作した場合においては、信号が生成される。例えば、図１２（ｂ）に示すように、マウス５の右ボタン３２をクリックした場合に１、クリックを離した場合に０の信号が生成される。
【０１１９】
また、図１２（ｃ）に示すように、マウス５またはキーボード６を操作した場合においては、上述したように、ＰＣユニット２０からＴＶユニット１０に現在の操作モード情報を要求する信号が送信される。
【０１２０】
マウス５を用いることにより、リモコン９を用いたときと同様の、ＴＶユニット１０について以下の操作を行なえる。まず、マウスホイール３３をクリックすることにより、ＴＶユニット１０におけるメニュー項目を表示する。次に、マウス５を移動することによって、マウスポインタを選択したいメニュー項目上に移動させる。次に、マウス５の左ボタン３１をクリックすることによって、当該メニュー項目を起動する。
【０１２１】
また、マウス５の左ボタン３１を押した状態においてドラッグすることにより、ディスプレイ２上にチャンネルのリストを表示する。次に、選択したチャンネル上においてマウス５の左ボタン３１を離すことによって当該チャンネルを選択する。また、マウス５の右ボタン３２を押した状態においてドラッグすることにより、ディスプレイ２上に音量バーを表示する。音量バーの表示後に、ドラッグをしたままマウス５を左に移動することによって、音量を小さくする。反対に、マウス５を右に移動することによって、音量を大きくする。
【０１２２】
また、マウスホイール３３を回転することによって、ディスプレイ２上にＴＶユニット１０とＰＣユニット２０との入力切替項目と地Ａ／地Ｄ／ＢＳ／ＣＳ／切替項目のリストとを表示する。さらにマウスホイール３３を回転することによって、マウスポインタを選択したい切替項目上に移動させる。次に、マウス５の左ボタン３１をクリックすることによって、当該切替項目を起動する。
【０１２３】
次に、マウス５を用いてディスプレイ２上において番組予約をする処理について説明する。図１３は、ディスプレイ２上において、マウス５を用いて番組予約をする処理について説明する図である。
【０１２４】
図１３は、ディスプレイ２上にＥＰＧ画面が表示されている。マウス５を移動することによって、図１３に示すように、ＥＰＧ画面における予約したい番組のタイトル上のマウスポインタＧを矢印Ｈに示すように移動させる。これにより、マウスポインタＧを予約したい番組の上に移動させる。次に、マウス５の左ボタン３１をクリックすることによって、当該番組を予約する。マウス５を移動してマウスポインタＧを移動させることによって、リモコン９の上下左右カーソルキーを用いて操作するよりも容易にマウスポインタＧを移動することができる。したがって、番組予約における操作性が向上する。
【０１２５】
次に、ディスプレイ２上において、キーボード６を用いて番組を予約する処理について説明する。図１４、ディスプレイ２上において、キーボード６を用いて検索キーワードを入力することによって番組予約をする処理について説明する図である。図１４示すように、ユーザはディスプレイ２上の番組検索画面において、キーボード６を用いて検索キーワードを入力できる。図１４示す例においては、「ジャンル」、「タイトル」および「詳細（出演者名等）」各々について検索キーワードを入力できる。これにより、検索キーワードにヒットした番組を検索し当該番組を予約することができる。なお、マウス５およびキーボード６を使用してＴＶユニット１０を操作する際のＴＶユニット１０およびＰＣユニット２０内の信号の処理の流れは図１１を参照して説明したとおりである。
【０１２６】
以上のように、本実施形態のＰＣ内蔵テレビ１は、１つの操作装置を使用して、まったく異なる機能を持った２つのユニット（ＴＶユニット１０、ＰＣユニット２０）を操作できる。特に、ＰＣユニット２０の操作がリモコン９によって可能になる点は、ユーザにとってのメリットが大きい。マウス５またはキーボード６に比べて、リモコン９の操作は洗練され、直感的で分かりやすいからである。特に、スマートな表示デザインの追及に起因して近年複雑化しているアプリケーションの起動および終了を簡単な操作において実行できる。したがって、本実施形態のＰＣ内蔵テレビ１を使用するユーザは、ＰＣユニット２０によって提供される各種のサービス（アプリケーションの実行、ウェブページの閲覧）を、汎用のパーソナルコンピュータを用いる場合よりも手軽に体験できる。なお、リモコン９を用いて操作することによりマウステーブルを用意する必要もない。
【０１２７】
また、ＴＶユニット１０の操作がＰＣユニット２０のマウス５またはキーボード６によって可能になる点も、ユーザにとってメリットがある。１つには、ディスプレイ２上においてマウスポインタを上下左右に移動する際に、マウス５を用いることにより操作性が向上する。リモコン９による操作では、マウスポインタを移動するためのカーソルキーを押す回数が多くなり、また上下左右４方向にしか移動できない。これに対して、マウス５を用いれば、マウス５を移動することのみにおいて、ディスプレイ２上の目標位置に直線的に移動できるからである。また、チャンネル選択、音量調節および画質調整においても、ディスプレイ２上において所定の値をダイレクトに選択できるため、操作性が向上する。
【０１２８】
また、ＥＰＧ画面における番組予約においてもメリットは大きい。近年、チャンネル数の増加および番組内容記載の増大によって、１画面中に表示される相対的な番組数が少なくなっている。これにより、画面のスクロールを容易かつ迅速に行ないたいという要求は多い。マウス５を用いることにより、リモコン９による操作よりも画面のスクロールが容易となる。また、ＥＰＧ画面において番組を検索するための検索キーワードを入力する場合に、キーボード６を用いることにより容易に文言を入力できる。したがって、操作性が向上する。
【０１２９】
なお、本実施形態におけるキーボード６のキー各々と、リモコン９のキー各々との対応関係を図１５に示す。図１５に示すように、キーボード６のキー各々を押すことにより、当該キー各々に対応するリモコン９のキー各々を押したのと同様の信号を送信することができる。一例として、キーボード６の「Ａ」キーを押すことにより、リモコン９の「地上Ａ」キーを押したのと同様の信号を送信することができる。また反対に、リモコン９のキー各々を押すことにより、当該キー各々に対応するキーボード６のキー各々を押したのと同様の信号を送信することができる。
【０１３０】
（映像合成の流れの例）
ＰＣ内蔵テレビ１における、複数の映像の合成および表示処理の流れについて、図１６を参照して説明する。図１６は、ＰＣ内蔵テレビ１における映像合成および表示の流れの一例を示す図である。
【０１３１】
この図に示すように、ＰＣユニット２０のコンテンツ取得部２２は、映像５０（第２のコンテンツに含まれる第２の映像）および関連情報５２を取得する。取得先はたとえばインターネット８または記録ディスク７である。これらの映像５０および関連情報５２は、コンテンツ取得部２２、コンテンツ処理部２１、およびコンテンツ送信部２３を経由してＴＶユニット１０に送信される。ＴＶユニット１０では、コンテンツ受信部１６を経由してコンテンツ合成部１４に提供される。
【０１３２】
一方、ＴＶユニット１０のコンテンツ取得部１５は、映像５４（第１のコンテンツに含まれる第１の映像）および関連情報５６を取得する。取得先はたとえば放送局である。これらの映像５４および関連情報５２は、コンテンツ取得部１５、コンテンツ処理部１３を経由してコンテンツ合成部１４に提供される。なお、ＰＣユニット２０ａには、ＴＶユニット１０ａから、映像５０および関連情報５４をＴＶユニット１０ａに提供すべきことを規定した制御情報が事前に送信されている。ＰＣユニット２０ａは、この制御情報の受信に応じて映像５０および関連情報５４をＴＶユニット１０ａに提供する。
【０１３３】
コンテンツ合成部１４は、入力された映像５０、関連情報５２、映像５４、および関連情報５６を合成して１つの合成映像（合成コンテンツ）を生成する。本実施形態ではグラフィックメモリ１１０を利用し、３つのプレーンのそれぞれにデータを書き込む。具体的には第１のプレーンに映像５０、第２のプレーンに映像５４、そして第３のプレーンに関連情報５２および関連情報５６を書き込む。こうして得た３つのプレーンを重ね合わせ、図１６に示す１つの合成映像を生成する。当該合成映像は映像出力部１１を経由してディスプレイ２に入力される。これらの処理の結果、ユーザはディスプレイ２を通じて当該合成映像を視認する。結果、放送番組を視聴しながら映画コンテンツをサブ画面で楽しむ、といったことが可能になる。
【０１３４】
（ディスプレイ２に表示される画面の例）
図１７は、ディスプレイ２に表示される画面の各例を示す図である。
【０１３５】
図１７（ａ）では、ＴＶ全画面６０のみがディスプレイ２の全面に表示されている。このとき、リモコン９に設けられた「ＰＣボタン」をユーザが押下することにより、図１７（ａ）の画面が図１７（ｂ）のそれに切り替わる。図１７（ｂ）では、ＴＶ主画面６１、ＰＣ機能メニュー６２〜６５、およびＰＣ子画面６６がディスプレイ２に表示されている。ユーザは、ＴＶユニット１０によって再生されるＴＶコンテンツ（放送番組）の視聴を中心にＰＣ内蔵テレビ１を使用する。一方、ＰＣコンテンツは補助的に視聴する。
【０１３６】
図１７（ｂ）の画面が表示されているとき、リモコン９に設けられた「ＰＣボタン」をユーザが押下することにより、図１７（ｂ）の画面が図１７（ｃ）のそれに切り替わる。図１７（ｃ）では、ＴＶ画面の表示位置とＰＣ画面の表示位置とが入れ替わる。具体的には、ＴＶ主画面６１の表示位置にＰＣ主画面６９が表示され、一方、ＰＣ子画面６６の表示位置にＴＶ子画面６８が表示される。これらの処理によって、ユーザは、ＰＣユニット２０の操作および当該操作によって再生されるＰＣコンテンツの視聴を中心にＰＣ内蔵テレビ１を使用する。一方、放送番組は補助的に視聴する。
【０１３７】
図１７（ｃ）の画面が表示されている時、ユーザがＰＣ機能メニュー６２〜６５におけるその他のメニューを選択すれば、図１７（ｄ）に示すように、ＰＣ子画面６８を最大化することもできる。すなわち、ＰＣ全画面６７がディスプレイ２に表示される。なお、ユーザが「ＰＣボタン」を押下した場合も、同様に、図１７（ｄ）の表示に切り替わる。
【０１３８】
（ＰＣ子画面の切り換えの例）
図１８は、ＰＣ内蔵テレビ１が、ＰＣ機能メニューの選択に応じてＰＣ子画面の表示を切り換える様子の一例を示す図である。
【０１３９】
図１８（ａ）では、ディスプレイ２に、ＴＶ主画面６１、メニュー項目７１〜７４、およびＰＣ子画面７５を表示している。ＰＣ子画面７５は、メニュー項目７１を選択した時に表示される。ここで、ユーザがメニュー項目７２を選択した時、図１８（ｂ）に示すように、当該メニュー項目７２に関連するＰＣ子画面７６が直ちに表示される。
【０１４０】
（ＰＣ機能メニューの選択に応じた処理の例）
本実施形態のＰＣ内蔵テレビ１は、ＰＣ機能のメニューを表すＨＴＭＬ形式のデータを処理することによって、当該ＰＣ機能メニューをディスプレイ２に表示する。そのため、選択された項目に対応するリンク情報に応じた処理を実行する。この具体例について、図１９を参照して以下に説明する。
【０１４１】
図１９は、ＰＣ内蔵テレビ１が、ＰＣ機能メニューを示す情報の選択結果に応じて、ＰＣ子画面を表示したりＰＣ子画面の表示位置を変更したりする様子の一例を示す図である。
【０１４２】
図１９（ａ）の例では、ＰＣ内蔵テレビ１は、メニューデータ８０を処理してＰＣ機能メニューを表示する。メニューデータ８０には、リンク情報８１およびリンク情報８２を含む４つのリンク情報が含まれている。各リンク情報は、項目名（グルメ、検索、ゲーム等）に個別に対応している。
【０１４３】
ここで、ユーザが「グルメ」項目を選択したとする。このときＰＣ内蔵テレビ１は、当該項目に対応したリンク情報８１を処理する。具体的には、リンク情報（アクセス情報）８１が示すウェブサイト（通信ネットワーク上の外部装置）にアクセスし、サーバが返信してくるウェブページ（第２のコンテンツ）を取得して、ＰＣ子画面８４に表示する。なお、このときＴＶ主画面８３も同時に表示する。
【０１４４】
一方、ユーザが「ゲーム２（サイズ指定）」項目を選択したとする。このときＰＣ内蔵テレビ１は、当該項目に対応したリンク情報８２を処理する。具体的には、リンク情報８２が示すゲームアプリケーションを起動し、このアプリが出力するコンテンツ（第２のコンテンツ、第２の映像）をＰＣ子画面８５に表示する。このとき、リンク情報８２に規定されている表示制御情報を参照して、ＰＣ子画面８５の表示位置およびサイズを決定する。なお、ディスプレイ２にはＴＶ主画面８３も同時に表示する。ＴＶ主画面８３のサイズは、ディスプレイ２の画面サイズからＰＣ子画面８５のサイズを演算（たとえば減算）して得た値に基づき決定する。
【０１４５】
（画面表示処理の流れの例）
図２０は、本発明のＰＣ内蔵テレビ１においてＴＶ全画面およびＰＣ子画面を表示する際の情報処理の流れの一例を示すシーケンス図である。図２１は、図２０に示すシーケンス処理によってディスプレイ２に表示される画面の一例を示す図である。
【０１４６】
図２０の処理が始まる前の前提として、ＴＶユニット１０は、事前に、放送局から放送波を受信してデコードし、放送番組を取得済みである。また、各種の放送関連情報を、放送波の受信に合わせて随時受信している。放送関連情報としては、たとえばデータ放送、電子番組表、字幕、クローズドキャプション、ネットワークからの情報、現在視聴しているチャネルを表す情報、ユーザの居住地域を表す情報などがある。
【０１４７】
図２０のシーケンスでは、まずＴＶユニット１０がＴＶ主画面６１を表示する（ステップＳ１）。次にユーザがリモコン９を用いてＰＣ表示コマンドを入力する。この入力に基づきＴＶユニット１０はメニュー情報をＴＶユニット１０にリクエストする（ステップＳ２）。ＰＣユニット２０は受信したリクエストをサービスサーバ（外部装置）に転送する（ステップＳ４）。サービスサーバはメニュー情報をＰＣ内蔵テレビ１に送信し、これをＰＣユニット２０が受信する。ＰＣユニット２０は受信したメニュー情報をＴＶユニット１０に転送する。ＴＶユニット１０は、受信したメニュー情報に処理してメニュー６２〜６５をディスプレイ２に表示する（ステップＳ７）。さらに、ＰＣ子画面６６を表示する（ステップＳ６６）。
【０１４８】
ユーザは、リモコン９を用いてメニュー項目のいずれかを選択する（ステップＳＳ１０）。ＴＶユニット１０は、選択されたメニュー項目を表す選択情報をＰＣユニット２０に送信する。ＰＣユニット２０は、受信した選択情報によって特定されるソフトウェアアプリケーションを実行する（ステップＳ１１）。この実行時にアプリケーションが生成した映像をＴＶユニット１０に送信する。なお、ＰＣユニット２０は、アクセス履歴、購買履歴、コンテンツ視聴履歴、アクセス時刻、アクセス時間等の各種ＰＣコンテンツ情報も、ＴＶユニット１０に送信する。ＴＶユニット１０は、受信した映像をＰＣ子画面７５に表示する。結果、ＰＣ子画面７５の表示が変化する（ステップＳ１２）。
【０１４９】
このときＴＶユニット１０は、放送コンテンツ関連情報および受信したＰＣコンテンツ情報を使用して、これら２つの情報に基づく表示情報を生成し、メニュー項目６２〜６５のいずれかに表示してもよい。図２１の例ではメニュー項目６５がその例である。すなわちＰＣ内蔵テレビ１は、放送関連情報およびＰＣコンテンツ関連情報を用いて、表示メニューを適応的に切り換える。なお、このような適応的なメニューの生成は、ＴＶユニット１０に限らずＰＣユニット２０またはサービスサーバが実行することもできる。この場合、ＴＶユニット１０は生成されたメニューをＰＣユニット２０から取得しディスプレイ２に表示する。
【０１５０】
以上に説明したほか、ＰＣ内蔵テレビ１には次のような様々な工夫が可能である。
【０１５１】
（メニュー表示の工夫）
ＰＣ内蔵テレビ１では、カテゴリの分類および操作を直感的に分かり易くする。これにより、コンピュータの初心者であっても、ＰＣ内蔵テレビ１を簡単に操作することができる。ポータルウェブサイトを踏襲したカテゴリに対応したメニュー項目を一覧にして表示する。これによりユーザは、普段使用しているコンピュータと同じ操作によって、同様にメニュー項目を選択できる。
【０１５２】
ＰＣ内蔵テレビ１は、フォーカス中のメニュー項目に応じたコンテンツをＰＣ子画面に表示する。そのためユーザがコンテンツを選択するたびに、ＰＣ子画面に表示されている映像が切り換わる。結果、ユーザは直感的にコンテンツを選択できる。なお、初期設定として、ユーザにとって魅力的なウェブサイトを予め用意しておくことが好ましい。
【０１５３】
さらにＰＣ内蔵テレビ１にはカテゴリの一種として「便利機能」というメニュー項目がある。ユーザは、使用頻度の高いソフトウェアアプリケーションを当該便利機能に登録できる。なお、ＴＶ画面に表示されるメニュー項目の表示順位は、コンテンツプロバイダーに応じて変更してもよい。さらに、表示順位に応じて決まる掲載料金を、コンテンツプロバイダーから徴収するビジネスも可能になる。
【０１５４】
ＰＣ内蔵テレビ１は、ディスプレイ２にたとえばユーザがよく利用するウェブサイトへのリンクをカテゴリ別に分類して項目として易く表示する。この結果、インターネット８上のウェブサイトへアクセスする際の入り口として、ＰＣ機能メニューを活用できる。ユーザは、ＰＣ主画面６９に切り換える設定等をすることなく、ＴＶ主画面６１を通じて放送番組を視聴中に、この入り口（ＰＣ機能メニュー）から項目を選択することによって、インターネットに直接アクセスできる。これらの工夫によって本発明は、コンピュータの初心者から上級者に至るまで、ＰＣ内蔵テレビ１に対する購入意欲を高めることができる。
【０１５５】
メニュー項目の具体例として、検索ウェブサイト、ウェブログ、ＳＮＳ（Ｓｏｃｉａｌ  Ｎｅｔｗｏｒｋｉｎｇ  Ｓｅｒｖｉｃｅ）、一般情報（たとえば、ニュース、天気、交通情報または路線案内）、暮らしの情報（たとえば、病気、地域情報または子育て）、食べ物（たとえば、飲食店またはレシピ集）、学習（たとえば、辞書または子供の教育）、趣味（たとえば、株、旅行、ショッピングまたはファッション）、または娯楽（たとえば、ゲーム、動画ウェブサイトまたは音楽ダウンロードウェブサイト）などが挙げられる。
【０１５６】
ユーザは、次の手順によって、上述したカテゴリごとのウェブサイトに接続できる。まず、画面上に表示されたカテゴリ別のＰＣ機能メニューの中から、所望のカテゴリに関するメニュー項目を選択する。次に、選択した項目のカテゴリに属するウェブサイトのＵＲＬリストが表示されるので、当該ＵＲＬリストの中から所望のウェブサイトを選択する。具体的には、画面上にＴＶ主画面、複数のメニュー項目、およびＰＣ子画面が表示されているとき、ユーザがリモコン操作によって所望のカテゴリのメニュー項目を選択する。その後、たとえばＰＣ主画面を表示するように選択すれば、画面上ではＰＣ画面が大きくなり、インターネット視聴用に切り換わる。
【０１５７】
（利用サービスの多様性）
ＰＣ内蔵テレビ１のユーザは、従来の汎用コンピュータによって利用可能なインターネットサービスを、全てＰＣ内蔵テレビ１においても利用できる。完全なコンピュータとして機能し、ＴＶユニット１０と連携して動作するＰＣユニット２０が、ＰＣ内蔵テレビ１に備えられているからである。したがってＰＣ内蔵テレビ１は、従来のように限られたインターネットサービスしか利用できないネットテレビに比べて、その活用範囲は遥かに広い。
【０１５８】
（大画面化による利点）
ディスプレイ２にＰＣ全画面を表示した場合、ユーザは、ＰＣユニット２０をマウス５またはキーボード６を使用して操作できる。ディスプレイ２を大画面としたＰＣ内蔵テレビ１では、ユーザは、ＰＣコンテンツを大画面かつ高画質のディスプレイ２を通じて楽しむことができる。従来のコンピュータではこのような用途のためにはＰＣ本体の他に別途大画面のディスプレイを用意する必要があった。しかしＰＣ内蔵テレビ１はこれ一台で、コンピュータも大いに活用するパワーユーザの要望をも満たすことができる。特にＰＣユニット２０はコンピュータであるため各種の周辺機器と連携して機能を柔軟に追加することが可能であり、こうした機能追加によって得られる利点を、大画面かつ高画質の表示を通じてユーザに実感させることができる。
【０１５９】
（電源の連動）
ユーザは、ＰＣユニット２０を起動するための煩雑な操作をしなくてもよい。ＰＣ内蔵テレビ１において、ＴＶユニット１０の電源と、ＰＣユニット２０の電源とが連動するからである。すなわち、ＴＶユニット１０ａの電源を入れると同時にＰＣの電源も入る。ＴＶユニット１０の起動完了後、ユーザは直ちに放送番組の視聴が可能になる。一方、その後もＰＣユニット２０の起動処理は続く。ＴＶユニット１０よりもＰＣユニット２０の方が、起動の完了に要する時間が長いからである。ユーザは、ＰＣユニット２０の起動完了まで無用にまたせることなく、放送番組を楽しめる。また、ＰＣユニット２０の起動完了後は、リモコン９による簡単な操作によって、いつでもＰＣユニット２０を操作できる。
【０１６０】
（設置の容易性）
ＴＶユニット１０およびＰＣユニット２０が一体化されているため、ユーザはＰＣ内蔵テレビ１を簡単に設置できる。ＴＶユニット１０のディスプレイ２にＬＥＤバックライト採用してもよい。これにより、ＴＶユニット１０ａの軽量化および薄型化が可能になるため、ＰＣ内蔵テレビ１の設置方向を縦横のいずれにも自由にできる。
【０１６１】
（ＰＣ内蔵テレビ１の販売）
ＰＣ内蔵テレビ１の外観は、通常のテレビジョン装置のそれに酷似している。したがって、販売店はＰＣ内蔵テレビ１をコンピュータ売り場ではなくテレビ売り場に置く。販売員は、ＰＣ内蔵テレビ１を見込み客に売り込むときに、簡単な操作でコンピュータも利用できることを訴求できる。結果、コンピュータ売り場は行かないがテレビの売り場なら行くような顧客、すなわちコンピュータは苦手だがテレビは使える一般的なユーザに対し、ＰＣ内蔵テレビ１への購入意欲を高めさせることができる。ＰＣ内蔵テレビ１はコンピュータも使えるという付加価値を有しており、その分単価を高く設定でき、利益率も高い。したがって、ＰＣ内蔵テレビ１の製造会社も、販売店もより高い利益をＰＣ内蔵テレビ１によって得られる。
【０１６２】
（消費電力の表示）
ＰＣ内蔵テレビ１は、自身の消費電力に関する情報を取得し、表示用の情報に変換して、ディスプレイ２に表示してもよい。
【０１６３】
〔実施形態２〕
本発明に係る第２の実施形態について、図２２および図２３を参照して以下に説明する。なお、上述した第１の実施形態と共通する各部材には同じ符号を付し、詳細な説明を省略する。
【０１６４】
（ＰＣ内蔵テレビ１ａの外観例）
図２２（ａ）は、着脱可能なＰＣユニット２０ａがＴＶユニット１０ａに装着された後のＰＣ内蔵テレビ１ａを表示画面側から見た場合の外観を示す図である。図２２（ｂ）は、着脱可能なＰＣユニット２０ａがＴＶユニット１０ａに装着される前のＰＣ内蔵テレビ１ａを背面側から見た場合の外観を示す図である。
【０１６５】
この図に示すように、本実施形態のＰＣ内蔵テレビ１ａは、ＴＶユニット１０ａおよびＰＣユニット２０ａによって構成されている。この点において、第１の実施形態に係るＰＣ内蔵テレビ１と何ら変わりはない。しかし本実施形態のＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａもＰＣユニット２０ａもそれぞれ単独で利用できる。
【０１６６】
ＰＣユニット２０ａには、図２２（ａ）に示すように、複数の外部端子１５０〜１５２が設けられている。具体的にはイーサネット（登録商標）端子１５０、ＵＳＢ端子１５１、および映像／音声入出力端子１５２である。また、図２２（ｂ）に示すように、ＰＣユニット２０ａには、ＴＶユニット１０ａと信号をやり取りするための外部端子１５３〜１５５も設けられている。具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子１５３、制御信号端子１５４、および電源端子１５５である。これらの端子があることによって、ＰＣユニット２０ａとＴＶユニット１０ａとの間で、映像信号、制御信号、および電源信号を互いに送受信できる。なお、これらに加えて音声信号端子を設け、音声信号を互いに送受信することも当然に可能である。
【０１６７】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。結果、ユーザは簡便な手順によってＰＣユニット２０ａをＴＶユニット１０ａに装着できる。すなわち、ＰＣユニット２０ａをその装着位置にただ差し込めば良いのである。
【０１６８】
ＰＣ内蔵テレビ１から外したＰＣユニット２０は、周辺機器に接続させることによって、様々な用途に活用できる。たとえば、モニタと接続可能なクレードルに、取り外したＰＣユニット２０を装着する。こうすれば、ＰＣユニット２０をデスクトップコンピュータとして使用できる。なお、ＰＣユニット２０ａとクレードルとを接続する端子としては、他にもイーサネット（登録商標）端子、およびシリアルポート端子を利用できる。
【０１６９】
（ＰＣ内蔵テレビ１ａの要部構成）
図２３は、本発明の一実施形態に係るＰＣ内蔵テレビ１の要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置・外部再生装置）１６０からも、再生対象のコンテンツを取得できる。すなわち、本実施形態のＴＶユニット１０ａが処理するコンテンツは、放送番組に限らず、たとえばテキスト、映像、音声、動画等のコンテンツも該当し、さらにこれらの組み合わせからなるマルチメディアコンテンツも該当する。他にも、ウェブページも含まれる。
【０１７０】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得できる。
【０１７１】
〔実施形態３〕
本発明に係る第３の実施形態について、図２４を参照して以下に説明する。なお、上述した第１および第２の実施形態と共通する各部材には同じ符号を付し、詳細な説明を省略する。
【０１７２】
本実施形態では、本発明はＢＤ内蔵テレビ１ｂとして実現される。ここで「ＢＤ」とはブルーレイ（登録商標）録画再生機器のことである。ＢＤ内蔵テレビ１ｂは、放送番組の再生および記録ディスク７への録画、ならびにブルーレイコンテンツの再生が可能な装置である。
【０１７３】
（ＢＤ内蔵テレビの外観例）
図２４は、着脱可能なＢＤユニット２０ｂ（第２のユニット）がＴＶユニット１０ａに装着された後のＢＤ内蔵テレビ１ｂの外観例を示す図である。ＢＤユニット２０ｂはブルーレイ録画再生装置としての構成および機能を有しており、それ単体でも動作するユニットである。本実施形態では、ＰＣユニット２０ａの装着が可能なＴＶユニット１０ａに、ＢＤユニット２０ｂを装着して１つのＢＤ内蔵テレビ１ｂを構成する。すなわち、ＴＶユニット１０ａの装着スロットにはＰＣユニット２０ａもＢＤユニット２０ｂもそれぞれが着脱式で装着可能になっている。また、これらのユニット以外にも、たとえばＤＶＤレコーダとしての構成および機能を有するＤＶＤユニットも、ＴＶユニット１０ａに装着可能である。
【０１７４】
ＴＶユニット１０ａは、装着されたＢＤ内蔵テレビ１ｂと連携して動作する。したがって、ユーザはリモコン９を使用してＴＶユニット１０ａもＢＤユニット２０ｂも操作できる。すなわち、放送番組の視聴、放送番組の記録ディスク７への録画、記録ディスク７に録画されたコンテンツの再生は、１つのリモコン９によっていずれも可能である。
【０１７５】
なお、ＢＤユニット２０ｂは、第１の実施形態に係るＴＶユニット１０に支持される形で装着されることもできる。この場合、たとえばＵＳＢ２．０の規格に従った端子間での接続が可能である。
【０１７６】
（付記事項）
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【０１７７】
本発明のコンテンツ再生装置は、第１のユニットおよび複数の第２のユニットによって構成されていても良い。第２のユニットは、汎用コンピュータ、ブルーレイ再生（録画）機器、ＤＶＤ再生（録画）機器、およびハードディスクレコーダのいずれかとして実現され得る。これらのうち任意の複数の第２のユニットと、第１のユニットとを組み合わせて、１つのコンテンツ再生装置を構成する。結果、たとえば１つのコンテンツ再生装置が２つのＰＣユニット２０を備えている構成、ならびに、１つのコンテンツ再生装置が１つのＰＣユニット２０ａおよび１つのＢＤユニット２０ｂを備えている構成は、いずれも本発明の範疇に含まれる。如何なる第２のユニットも、第１のユニットから着脱可能とすることもできるし、または、第１のユニットの筐体本体に内蔵することもできる。
【０１７８】
ＰＣユニット２０ａがＴＶユニット１０ａの筐体本体に内蔵された構成のＰＣ内蔵テレビ１も、実現可能である。この場合、ＰＣユニット２０ａはＴＶユニット１０ａの内部に完全に隠されている。したがって、ＰＣユニット２０ａを外部環境から守ることができる。なお、ユーザは、ＰＣユニット２０ａをＴＶユニット１０ａの内部から取り出して、別のＰＣユニット２０ａに交換することができる。
【０１７９】
（プログラムおよび記録媒体）
最後に、ＰＣ内蔵テレビ１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１８０】
すなわちＰＣ内蔵テレビ１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１８１】
この記録媒体は、上述した機能を実現するソフトウェアであるＰＣ内蔵テレビ１のプログラムのプログラムコード（実行形式プログラム、中間コードプログラム、ソースプログラム）をコンピュータで読み取り可能に記録していればよい。ＰＣ内蔵テレビ１に、この記録媒体を供給する。これにより、コンピュータとしてのＰＣ内蔵テレビ１（またはＣＰＵやＭＰＵ）が、供給された記録媒体に記録されているプログラムコードを読み出し、実行すればよい。
【０１８２】
プログラムコードをＰＣ内蔵テレビ１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１８３】
また、ＰＣ内蔵テレビ１を通信ネットワークと接続可能に構成しても、本発明の目的を達成できる。この場合、上記のプログラムコードを、通信ネットワークを介してＰＣ内蔵テレビ１に供給する。この通信ネットワークはＰＣ内蔵テレビ１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１８４】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１８５】
本発明は、コンピュータを内蔵したテレビジョン装置として幅広く利用できる。
【符号の説明】
【０１８６】
１    ＰＣ内蔵テレビ（コンテンツ再生装置）
１ａ    ＰＣ内蔵テレビ（コンテンツ再生装置）
１ｂ    ＢＤ内蔵テレビ（コンテンツ再生装置）
２    ディスプレイ
３    スピーカ
４    アンテナ
５    マウス（第２の操作装置）
６    キーボード（第２の操作装置）
７    記録ディスク（記録メディア）
８    インターネット（通信ネットワーク）
９    リモコン（第１の操作装置）
１０  ＴＶユニット（第１のユニット）
１０ａ  ＴＶユニット（第１のユニット）
１１  映像出力部（表示手段）
１２  音声出力部
１３  コンテンツ処理部
１４  コンテンツ合成部（合成手段）
１５  コンテンツ取得部（第１の映像取得手段、放送波受信手段、電子番組表取得手段
）
１６  コンテンツ受信部
１７  ユーザ入力部
１８  制御情報通信部（第１の制御情報送信手段、第２の制御情報受信手段）
１９  制御部（第１の入力受付手段、第１の判定手段、第１の制御手段）
２０  ＰＣユニット（第２のユニット）
２０ａ  ＰＣユニット（第２のユニット）
２０ｂ  ＢＤユニット（第２のユニット）
２１  コンテンツ処理部
２２  コンテンツ取得部（第２の映像取得手段）
２３  コンテンツ送信部（映像送信手段）
２４  記憶部（内部記憶装置）
２５  制御情報通信部（第２の制御情報送信手段、第１の制御情報受信手段）
２６  ユーザ入力部
２７  制御部（第２の入力受付手段、第２の判定手段、第２の制御手段）
２８  アプリケーション実行部（実行手段）
２９  操作モード管理部
３０  操作モード管理部
【図１】
2010258907.tif 000003
【図２】
2010258907.tif 000004
【図３】
2010258907.tif 000005
【図４】
2010258907.tif 000006
【図５】
2010258907.tif 000007
【図６】
2010258907.tif 000008
【図７】
2010258907.tif 000009
【図８】
2010258907.tif 000010
【図９】
2010258907.tif 000011
【図１０】
2010258907.tif 000012
【図１１】
2010258907.tif 000013
【図１２】
2010258907.tif 000014
【図１３】
2010258907.tif 000015
【図１４】
2010258907.tif 000016
【図１５】
2010258907.tif 000017
【図１６】
2010258907.tif 000018
【図１７】
2010258907.tif 000019
【図１８】
2010258907.tif 000020
【図１９】
2010258907.tif 000021
【図２０】
2010258907.tif 000022
【図２１】
2010258907.tif 000023
【図２２】
2010258907.tif 000024
【図２３】
2010258907.tif 000025
【図２４】
2010258907.tif 000026